(57)【要約】【課題】シロアリに対し遅効的且つ非忌避的に作用する殺蟻性物質の劣化を防止してシロアリの食害の点検作業の負担をなくした防蟻材料及びそれによる防蟻方法を提供する。【解決手段】シロアリに対し遅効的且つ非忌避的に作用する殺蟻性物質が含浸されたシロアリにとって食物になるセルロース質の基材５とこれを封入する透水性に乏しく且つシロアリが容易に食害できる樹脂容器３とを有する防蟻材料１０とする。前記基材５は、例えば、木材、大鋸屑、紙及びセルロース系材料から選ばれる。前記殺蟻性物質は、クロルフェナピル、フィピロニル、ヒドラメチルノン等から選ばれる。前記樹脂容器３は、例えば、円筒状の箱体又は矩形状の箱体、或いは、円筒状の袋又は矩形状の袋である。前記樹脂容器３は、好ましくは、ポリスチレン発泡体で構成されている。【選択図】　　　　　　図１
2004137150.tif 000002
【特許請求の範囲】
【請求項１】
シロアリに対し遅効的且つ非忌避的に作用する殺蟻性物質が含浸されたシロアリにとって食物になるセルロース質の基材と、これを封入する透水性に乏しく且つシロアリが容易に食害できる樹脂容器と、を有することを特徴とする防蟻材料。
【請求項２】
前記基材が、木材、大鋸屑、紙及びセルロース系材料から選ばれることを特徴とする請求項１に記載の防蟻材料。
【請求項３】
前記殺蟻性物質が、クロルフェナピル、フィピロニル、ヒドラメチルノン、スルフルアミド、ヘキサフルムロン、ジフルベンズロン、クロロフルアズロン及びトリフルムロンから選ばれる少なくとも１種の化合物で構成されていることを特徴とする請求項１又は２に記載の防蟻材料。
【請求項４】
前記樹脂容器が、円筒状の箱体又は矩形状の箱体、或いは、円筒状の袋又は矩形状の袋であることを特徴とする請求項１〜３のいずれかに記載の防蟻材料。
【請求項５】
前記樹脂容器が、ポリスチレン発泡体及び／又はウレタン発泡体で構成されていることを特徴とする請求項４に記載の防蟻材料。
【請求項６】
請求項１〜５のいずれかに記載された防蟻材料を予め建築物の外周の土壌中に埋設しておくことを特徴とする防蟻方法。
【発明の詳細な説明】
【０００１】
【発明の属する技術分野】
本発明は、シロアリに対して遅効的且つ非忌避的に作用する殺蟻性物質を土壌中のシロアリに喫食させてコロニーに持ち帰らせることによりシロアリコロニー全体を駆除する防蟻材料及びそれによる防蟻方法に関する。
【０００２】
【従来の技術】
従来の防蟻技術としては、有機リン系化合物、ピレスロイド系化合物等よりなる防蟻剤を乳剤やマイクロカプセル化剤として床下土壌に散布する技術（以下、「従来技術１」という。）が主体となっている。地下性の白アリであるヤマトシトアリ、イエシロアリ等のシロアリは、床下土壌を通じて基礎や配管に蟻道を作り、土台等の木材を加害するので、土壌表面に防蟻剤を散布して、白アリが通過できない防蟻剤のバリヤーを形成することは、防蟻対策上非常に有効である。
【０００３】
しかしながら、「従来技術１」においては、床下一面に多量の防蟻剤を散布するので、薬剤散布時に飛散する防蟻剤が作業者の健康に悪影響を与えること、散布した防蟻剤が住宅環境を汚染させてシックハウス問題を起こすこと、散布した防蟻剤が土壌中で分解して効力低下を起こすこと、といった問題があった。
【０００４】
そこで、このような防蟻剤を散布しない技術としてベイト工法が提案された。このベイト工法は、まず、シロアリの餌になる木材等を建築物の外周土壌に埋設しておき、定期的に観察することによって、シロアリが建築物周囲に存在するかどうかを判断し、次に、シロアリを検出した場合には、餌としての木材を擬餌（ベイト剤）に置き換えることによりシロアリを駆除する技術（以下、「従来技術２」という。）である。前記ベイト剤は、シロアリが喫食しやすい木材や紙等のセルロース質の基材に、シロアリに対し遅効的且つ非忌避的に作用する殺蟻性物質を含浸させたものである。このような殺蟻性物質としては、クロルフェナピル、フィピロニル、ヒドラメチルノン、スルフルアミド、ヘキサフルムロン、ジフルベンズロン、クロロフルアズロン、トリフルムロン等の化合物があげられる。
【０００５】
「従来技術２」によれば、シロアリは、これらの殺蟻性物質をベイト剤の喫食によって体内に取り込み、コロニーに持ち帰って他のシロアリに供与するので、やがてコロニー全体に毒物が広がってシロアリを駆除することが可能となる。また、この工法は床下に多量の薬剤を散布しないので、人や環境への負荷を減少させる大きなメリットがある。
【０００６】
【発明が解決しようとする課題】
「従来技術２」においては、最初からシロアリがその建築物の周囲に存在するかどうかは不明であるので、餌となる木材を土壌中に設置しておき、シロアリが食害しているかどうかの定期的な点検を行うことで初めてシロアリの存在を確認できる。この点検作業は重要であり、これを怠ると建築物本体にシロアリの加害が進行してしまうことになる。この点検はシロアリの活動シーズンである春から秋にかけて２〜４回程度必要である。しかし、建築物の戸数が多くなる場合には、かかるシロアリの食害の点検作業の負担が大きくなるという問題があった。
【０００７】
また、最初からシロアリ発見用の餌木に代えてベイト剤を土中に設置できれば点検回数を大幅に減らすことが可能になると考えられるが、シロアリがベイト剤を食害するまでの期間は特定できず、一般的には数年必要な場合が多いので、その間に土中の水分や微生物によってベイト剤に含浸された殺蟻性物質が劣化するという問題があった。ベイト剤中の有効成分が劣化した後にシロアリが侵攻してきても機能せず、建築物に食害がおよぶ恐れがある。
【０００８】
本発明は、かかる問題を解決することを目的としている。
即ち、本発明は、シロアリに対し遅効的且つ非忌避的に作用する殺蟻性物質の劣化を防止してシロアリの食害の点検作業の負担をなくした防蟻材料及びそれによる防蟻方法を提供することを目的としている。
【０００９】
【課題を解決するための手段】
請求項１に記載された発明は、上記目的を達成するために、シロアリに対し遅効的且つ非忌避的に作用する殺蟻性物質が含浸されたシロアリにとって食物になるセルロース質の基材と、これを封入する透水性に乏しく且つシロアリが容易に食害できる樹脂容器と、を有することを特徴とする防蟻材料である。
【００１０】
請求項２に記載された発明は、請求項１に記載された発明において、前記基材が、木材、大鋸屑、紙及びセルロース系材料から選ばれることを特徴とするものである。
【００１１】
請求項３に記載された発明は、請求項１又は２に記載された発明において、前記殺蟻性物質が、クロルフェナピル、フィピロニル、ヒドラメチルノン、スルフルアミド、ヘキサフルムロン、ジフルベンズロン、クロロフルアズロン及びトリフルムロンから選ばれる少なくとも１種の化合物で構成されていることを特徴とするものである。
【００１２】
請求項４に記載された発明は、請求項１〜３のいずれかに記載された発明において、前記樹脂容器が、円筒状の箱体又は矩形状の箱体、或いは、円筒状の袋又は矩形状の袋であることを特徴とするものである。
【００１３】
請求項５に記載された発明は、請求項４に記載された発明において、前記樹脂容器が、ポリスチレン発泡体及び／又はウレタン発泡体で構成されていることを特徴とするものである。
【００１４】
請求項６に記載された発明は、請求項１〜４のいずれかに記載された防蟻材料を予め建築物の外周の土壌中に埋設しておくことを特徴とする防蟻方法である。
【００１５】
【発明の実施の形態】
次に、本発明の実施の形態を図面に基づいて説明する。
図１は、本発明の第１の形態を示す防蟻材料の断面図である。
【００１６】
図１に示すように、本発明の防蟻材料１０は、シロアリに対し遅効的且つ非忌避的に作用する殺蟻性物質が含浸されたシロアリにとって食物になるセルロース質の基材５と、これを封入する透水性に乏しく且つシロアリが容易に食害できる樹脂容器３と、を有している。前記樹脂容器３は、例えば、容器部１と蓋部２とで構成され、そして、容器部１と蓋部２とは、嵌合部４で勘合されている。前記嵌合部４は、容器部１の上辺近傍の全域に設けた薄肉の内側嵌合部材１ａと蓋部２の下辺の全域に設けた薄肉の外側嵌合部材２ａとで構成されている。容器部１と蓋部２とは、それらの合わせ目、即ち、内側嵌合部材１ａと外側嵌合部材２ａとの合わせ目から水分が侵入しないように、好ましくは、ポリスチレン発泡体を侵さない接着剤で完全に密封されている。
【００１７】
本発明によれば、シロアリに対し遅効的且つ非忌避的に作用する殺蟻性物質が含浸されたシロアリにとって食物になるセルロース質の基材（ベイト剤）５を透水性に乏しく且つシロアリが容易に食害できる樹脂で構成される樹脂容器３の中に封入したので、前記基材５を屋外の地中に設置しても、水分の影響を受けなくなるので微生物による分解を防止することができる。地中微生物の活動条件として一定以上の水分が必要だからである。このような状態で前記基材５を地中微生物から保護しておけば、シロアリが侵攻してきた際にもベイト剤としての機能を発揮することができ、住宅を被害から防止することが可能になる。また、従来のベイト工法のような度重なる点検は不要になり、点検に要する種々のコストの節約につながる。
【００１８】
本発明におけるシロアリにとって食物になるセルロース質の基材５は、好ましくは、木材、大鋸屑及び紙から選ばれるが、セルロース質のものである限り、それ以外のものであってもかまわない。
【００１９】
本発明におけるシロアリに対し遅効的且つ非忌避的に作用する殺蟻性物質は、好ましくは、クロルフェナピル、フィピロニル、ヒドラメチルノン、スルフルアミド、ヘキサフルムロン、ジフルベンズロン、クロロフルアズロン及びトリフルムロンから選ばれる少なくとも１種の化合物で構成されるが、本発明の目的に反しないかぎり、それら以外のシロアリに対し遅効的且つ非忌避的に作用する化合物であってもかまわない。シロアリは、これらの殺蟻性物質を基材（ベイト剤）５の喫食によって体内に取り込み、コロニーに持ち帰って他のシロアリに供与するので、やがてコロニー全体に毒物が広がってシロアリを駆除することが可能となる。本発明によれば、これらの殺蟻性物質を床下に多量に散布しないので、人や環境への負荷を減少させる大きなメリットがある。
【００２０】
本発明における透水性に乏しく且つシロアリが容易に食害できる樹脂容器３は、好ましくは、図１に示されるような円筒状の箱体又は矩形状の箱体（図示せず）或いは円筒状の袋（図示せず）又は矩形状の袋（図示せず）であるが、本発明の目的に反しないかぎり、前記形状以外のものであってもかまわない。
【００２１】
本発明における透水性に乏しく且つシロアリが容易に食害できる樹脂容器３は、好ましくは、ポリスチレン発泡体で構成されているが、「透水性に乏しく且つシロアリが容易に食害できる」という機能を有する樹脂であればそれ以外のものであってもかまわない。これらの樹脂容器３で封入した基材５は、湿潤土中に埋設しても、ほとんど吸水しない。また、この樹脂容器３によれば、これを構成する樹脂が非常に軟らかいので、地中を行動しているシロアリがこれに突き当たった場合でも、進路を変更することなしに樹脂を比較的容易に穿孔するので、樹脂容器３の内部の基材（ベイト剤）５を喫食でき、ベイト剤本来の機能を発揮することができる。
【００２２】
本発明におけるポリスチレン発泡体は、水分侵入防止の目的とシロアリの穿孔をできるだけ阻害しないことが要求されるので、その材質については、密度が１５〜１００Ｋｇ／ｍ３　であること、及び、厚みが１〜５ｃｍであることが好ましい。上述の密度と厚みを有するポリスチレン発泡体は、好ましくは、図１に示されるような円筒状の箱体、又は、矩形状の箱体（図示せず）よりなる容器部１並びに蓋部２を構成する材料に用いられる。このような容器部１の中に基材（ベイト剤）５をスキ間のないように充填しした後、容器部１を蓋部２でフタをする。この際、容器部１と蓋部２とは、それらの合わせ目、即ち、内側嵌合部材１ａと外側嵌合部材２ａとの合わせ目から水分が侵入しないように、好ましくは、ポリスチレン発泡体を侵さない接着剤で完全にシールする。
【００２３】
本発明の防蟻材料１０は、予め建築物の外周の土壌中に埋設しておくことによってシロアリを駆除する。シロアリがポリスチレン発泡体を穿孔した後は、内部のベイト剤が濡れてもシロアリは短期間でベイト剤を喫食するので、問題はない。埋設する防蟻材料１０の個数は、建築物の立地条件にもよるが、通常３ｍ間隔で設置することが好ましい。また、防蟻材料１０の埋設に際しては、埋設した防蟻材料１０の樹脂容器３に接するように木杭等を設置し、シロアリの誘因やベイト剤への食害を促進してもよい。基材（ベイト剤）５の大きさは、シロアリの種類や生息密度に応じて調整される。
【００２４】
【実施例】
（実施例１）
メタノールにクロルフェナピルを溶解してクロルフェナピルの０．１％溶液とした。次に、この溶液に段ボール紙を浸漬して取り出し、このダンボール紙を４０℃の通風乾燥機に入れてメタノールを完全に除去して、ベイト剤を調製した。このベイト剤を内径５ｃｍ、内高１５ｃｍ、厚み２ｃｍ、密度が２５Ｋｇ／ｍ３　のポリスチレン発泡体で構成される樹脂製容器に段ボール紙を丸めてすき間なく入れた後、酢酸ビニル系の接着剤を用いてフタを接着して防蟻材料とした（図１参照）。
【００２５】
（試験例１）
（殺蟻性物質の安定性）
実施例１で得たベイト剤を挿入したポリスチレン発泡体で構成される樹脂容器よりなる防蟻材料を屋外土壌中に埋設した。前記防蟻材料の埋設深さは、上方が土壌表面から約３ｃｍ程度になるようにした。前記防蟻材料の埋設期間は、６ヶ月、反復は３とした。比較例として、ベイト剤を含浸させた段ボール紙をガーゼに包み埋設した。試験終了後に、前記防蟻材料を土中から取り出して、その樹脂容器を切り裂いて中の段ボール紙を取り出すことにより、その重量を測定した。そして、この段ボール紙を４０℃で４８時間乾燥した後に再度重量を測定した。続いて、前記ダンボール紙からクロルフェナピルをアセトンで抽出し、ＨＰＬＣでクロルフェナピルの残存量を分析した。ガーゼで包んだものも同様に測定した。但し、土中から取り出した後のベイト剤の含水率（％）及びベイト剤中のクロルフェナピル残存量（％）は、次のように算出した。
・含水率（％）＝（土中から取り出した直後のベイト剤重量−乾燥後のベイト剤重量）／乾燥後のベイト剤重量×１００
・残存率（％）＝（土中に埋設したベイト剤中の有効成分量／室内で保管したベイト剤中の有効成分量）×１００
【００２６】
測定結果は、次の表１に示される。
【００２７】
【表１】
2004137150.tif 000003
【００２８】
（考察）
実施例１で得たベイト剤を挿入したポリスチレン発泡体で構成される樹脂容器に入れたベイト剤は、６ヶ月間土中に埋設しても分解を受けずにほぼ安定であることがわる。
【００２９】
（試験例２）
（シロアリによる食害試験）
実施例１で得たベイト剤を挿入したポリスチレン発泡体で構成される樹脂容器中にアカマツ辺材（３．５×３．５×５ｃｍ）を入れて、接着剤でシールした。このものを５個用意し、東京都八丈島のイエシロアリが生息している試験地の地中にそれぞれ１ｍ以上離れるように埋設した。また、容器に入れないアカマツ辺材も同様に５個埋設した。６ヶ月経過後に、それぞれ土中から取り出し、アカマツ材の食害程度を観察した。なお、試験地のシロアリを死滅させないために、木材には殺蟻性成分を含浸させなかった。
【００３０】
測定結果は、次の表２に示される。
【００３１】
【表２】
2004137150.tif 000004
【００３２】
（考察）
イエシロアリは、発泡ポリスチレンの容器に木材を入れた場合でも、入れないものと同様によく食害していた。したがって、発泡ポリスチレンでベイト剤を被覆したとしても、ベイト剤の喫食を阻害することはないと判断できる。
【００３３】
【発明の効果】
本発明によれば、シロアリに対し遅効的且つ非忌避的に作用する殺蟻性物質が含浸されたシロアリにとって食物になるセルロース質の基材とこれを封入する透水性に乏しく且つシロアリが容易に食害できる樹脂容器とを有しているので、▲１▼前記基材を屋外の地中に設置しても、水分の影響を受けなくなるので微生物による分解を防止することができること、▲２▼シロアリが侵攻してきた際にもベイト剤としての機能を発揮することができ、そのために、住宅を被害から防止することが可能になること、▲３▼従来のベイト工法のような度重なる点検は不要になり、そのために、点検に要する種々のコストの節約につながること、といった効果を奏する。
【図面の簡単な説明】
【図１】本発明の第１の形態を示す防蟻材料の断面図である。
【符号の説明】
１　容器部
１ａ　内側嵌合部材
２　蓋部
２ａ　外側嵌合部材
３　樹脂容器
４　嵌合部
５　セルロース質の基材
【図１】
2004137150.tif 000005